(57)【要約】      （修正有）【課題】回動軸により開閉部材を支持する支持部材を台板に取付けると共に開閉部材を回動自在に設けて、組立工程を簡素化すると共に小型化を可能とした可変入賞装置及びそれを用いた遊技機を提供する。【解決手段】開閉部材１６が回動軸１５に開閉自在に設けられる可変入賞装置であって、回動軸１５は頭部１５ａと軸状部１５ｂとを有すると共に該軸状部１５ｂの先端に係止手段１５ｃを備え、台板１３に回動軸１５が挿通され抜止めされる止め孔１９が形成され、開閉部材１６には回動軸１５を貫挿する軸孔２６が形成され、支持部材１４に回動軸１５の係止手段１５ｃが係止する係合部３０を設け、前記回動軸１５を前記台板１３の後方から止め孔１９に挿通すると共に開閉部材１６の軸孔２６に挿通し、係止手段１５ｃを支持部材１４の係合部３０に係着することで該支持部材１４を台板１３に取着すると共に開閉部材１６を回動自在に軸支した。【選択図】図６
2008295863.tif 000002
【特許請求の範囲】
【請求項１】
台板の前面に設けられる支持部材に開閉部材が回動軸により開閉自在に設けられる可変入賞装置であって、
前記回動軸は頭部と軸状部とを有すると共に該軸状部の先端に係止手段を備え、前記台板に前記回動軸が挿通され抜止めされる止め孔が形成され、前記開閉部材には前記回動軸を貫挿する軸孔が形成され、前記支持部材に前記回動軸の係止手段が係止する係合部を設け、
前記回動軸を前記台板の後方から止め孔に挿通すると共に前記開閉部材の軸孔に挿通し、前記係止手段を前記支持部材の係合部に係着することで該支持部材を台板に取着すると共に開閉部材を回動自在に軸支したことを特徴とする可変入賞装置。
【請求項２】
台板の前面に設けられる支持部材に開閉部材が回動軸により開閉自在に設けられる可変入賞装置であって、
前記回動軸は頭部と軸状部とを有すると共に該軸状部の先端に係止手段を備え、前記支持部材に前記回動軸が挿通され抜止めされる止め孔が形成され、前記開閉部材に前記回動軸を貫挿する軸孔が形成され、
前記台板に前記回動軸の係止手段が係止する係合部を設け、
前記回動軸を前記支持部材の前面から止め孔に挿通すると共に前記開閉部材の軸孔に挿通し、前記係止手段を台板の係合部に係着することで該支持部材を台板に取着すると共に開閉部材を回動自在に軸支したことを特徴とする可変入賞装置。
【請求項３】
前記支持部材の前面に装飾効果を高める装飾部材を貼着したことを特徴とする請求項１又は２に記載の可変入賞装置。
【請求項４】
請求項１乃至３のいずれかに記載の可変入賞装置を備えたことを特徴とする遊技機。
【発明の詳細な説明】
【技術分野】
【０００１】
本発明は可変入賞装置及びそれを用いた遊技機に関し、特に開閉部材が回動自在に設けられる可変入賞装置及びそれを用いた遊技機に関する。
【背景技術】
【０００２】
従来、パチンコ遊技機、アレパチ機等の弾球遊技機を含む種々の遊技機に設けられる可変入賞装置として、左右対称の可動翼を球通路開口の両側に開閉自由に軸支して開閉翼片を起立して打球を入り難い状態と、可動翼を傾倒して打球が入り易い状態とに変化させるチューリップ式役物といわれるものがある。このチューリップ式役物は、可動翼が取り付け基板と翼支持部材間に回動自在に軸支されており、可動翼を軸支する翼支持部材に可動翼が遊嵌される回動軸が形成されると共に翼支持部材を取り付け基板にねじ止めするねじ用の孔を形成したねじボスがそれぞれ後に突き出して形成されている。また、取り付け基板には翼支持部材の回動軸の先端を受ける孔が設けられ、翼支持部材のねじボスが当接する受け座が前面に突き出して形成されている。そして、可動翼を回動軸に回動できるように組み付けた翼支持部材を取り付け基板にねじ止めで固着し組み立てるようにしている（例えば、特許文献１参照。）。
【０００３】
また、近年パチンコ遊技機は遊技領域の略中央に設けられる液晶表示器等の役物が遊技者の興趣を高めるために大型化し、残りの限られた遊技領域に可変入賞装置を設けなければならないため、小型化が望まれている。そこで、小型化を可能とする可変入賞装置として、翼片取付部材に翼片を支持するヒンジ軸が設けられ、このヒンジ軸の先端にネジ穴を形成するとともに、このネジ穴に螺着されるべきネジを挿通するための取付穴を基板部に形成して、ネジをヒンジ軸に螺入して翼片取付部材を基板部に取付けるようにしたものが提案されている（例えば、特許文献２参照。）。
【０００４】
【特許文献１】特開２００１−３０００４４号公報
【特許文献２】特許第３８９３６０２号公報
【発明の開示】
【発明が解決しようとする課題】
【０００５】
しかしながら、特許文献２の可変入賞装置は、従来の可変入賞装置よりは小型化が可能であるものの、ヒンジ軸にビスを螺入して翼片取付部材を基板部に取付ける構成であるため、ヒンジ軸は必然的に太くなりそれに伴って翼片も大型化してしまい、ひいては可変入賞装置の小型化には限度があった。
【０００６】
本発明は、上記課題を解決するためになされたものであり、回動軸により開閉部材を支持する支持部材を台板に取付けると共に開閉部材を回動自在に設けて、組立工程を簡素化すると共に小型化を可能とした可変入賞装置及びそれを用いた遊技機を提供することを目的としている。
【課題を解決するための手段】
【０００７】
上記目的を達成するために、請求項１に記載の発明は、台板の前面に設けられる支持部材に開閉部材が回動軸により開閉自在に設けられる可変入賞装置であって、前記回動軸は頭部と軸状部とを有すると共に該軸状部の先端に係止手段を備え、前記台板に前記回動軸が挿通され抜止めされる止め孔が形成され、前記開閉部材には前記回動軸を貫挿する軸孔が形成され、前記支持部材に前記回動軸の係止手段が係止する係合部を設け、前記回動軸を前記台板の後方から止め孔に挿通すると共に前記開閉部材の軸孔に挿通し、前記係止手段を前記支持部材の係合部に係着することで該支持部材を台板に取着すると共に開閉部材を回動自在に軸支したことを特徴とする。ここでいう「軸状部」とは、ピン状の部材、ネジ部材等であってもよく、軸状に延在し開閉部材が軸支し得る断面形状が含まれる。
【０００８】
請求項２に記載の発明は、台板の前面に設けられる支持部材に開閉部材が回動軸により開閉自在に設けられる可変入賞装置であって、前記回動軸は頭部と軸状部とを有すると共に該軸状部の先端に係止手段を備え、前記支持部材に前記回動軸が挿通される止め孔が形成され、前記開閉部材に前記回動軸を貫挿する軸孔が形成され、前記台板に前記回動軸の係止手段が係止する係合部を設け、前記回動軸を前記支持部材の前面から止め孔に挿通すると共に前記開閉部材の軸孔に挿通し、前記係止手段を台板の係合部に係着することで該支持部材を台板に取着すると共に開閉部材を回動自在に軸支したことを特徴とする。
【０００９】
請求項３に記載の発明は、請求項１又は２に記載の発明において、前記支持部材の前面に装飾効果を高める装飾部材を貼着したことを特徴とする。装飾部材とは、金属，合成樹脂，紙等の薄板又はフィルム状の薄片の裏に糊等の粘着材を付与したシール，ステッカー等の表面に必要に応じて印刷が施されたものである。また、シールは光透過性を有する材質で樹脂盛り状に形成したものも含む。装飾部材は、回動軸を支持部材の前面側から挿入する際には、回動軸の頭部を隠蔽することもできる。
【００１０】
請求項４に記載の発明は、請求項１乃至３のいずれかに記載の可変入賞装置を遊技機に備えたことを特徴とし、興趣に富みゲーム性の高い遊技機を実現することができるようになる。
【００１１】
また、台板の前面に設けられる支持部材に開閉部材が回動軸により開閉自在に設けられる可変入賞装置であって、前記回動軸は頭部と軸状部とを有すると共に該軸状部の先端に係止手段を備え、前記支持部材に前記回動軸が挿通される止め孔が形成され、前記開閉部材に前記回動軸を貫挿する軸孔が形成され、前記台板に前記回動軸が挿通される貫通孔を形成すると共に該台板の裏面側で前記係止手段が係止する係止具を備え、前記回動軸を前記支持部材の前面から止め孔に挿通すると共に前記開閉部材の軸孔に挿通し、前記台板の貫通孔を介して前記係止手段を前記係止具で係着することで前記支持部材を台板に取着すると共に開閉部材を回動自在に軸支してもよい。
【００１２】
また、前記回動軸は板状の頭部に軸状部を介して先端部の外側に係止爪を設けた弾性係止片を備えるようにしてもよい。
【００１３】
また、前記回動軸の少なくとも前記開閉部材の軸孔に位置する部位に耐摩耗材をコーティングするのがよい。これにより、開閉部材の回動時の負荷を軽減することができる。
【００１４】
また、前記回動軸に合成樹脂製の軸カバーを装着し、前記開閉部材が該軸カバーを介して回動するようにしてもよい。軸カバーは、耐摩耗性合成樹脂により円筒状に形成するのが好ましく、開閉部材の円滑な動作が可能となる。
【００１５】
また、台板の前面に設けられる支持部材に開閉部材が回動軸により開閉自在に設けられる可変入賞装置であって、前記支持部材に前記回動軸が一体に設けられると共に該回動軸の先端に係止手段を備え、前記台板に前記回動軸の係止手段が係止する係合部を設け、前記回動軸に開閉部材を軸支すると共に前記係止手段を前記係合部に係着することで該支持部材を台板に取着すると共に開閉部材を回動自在に軸支してもよい。
【００１６】
また、前記台板に前記回動軸が一体に設けられると共に該回動軸の先端に係止手段を備え、前記支持部材に前記回動軸の係止手段が係止する係合部を設け、前記回動軸に開閉部材を軸支すると共に前記係止手段を前記係合部に係着することで該支持部材を台板に取着すると共に開閉部材を回動自在に軸支してもよい。
【００１７】
また、前記回動軸が無用に回転するのを防止する回止め手段を設けるのが好ましく、開閉部材の回動により回動軸の係止状態が緩むのを防止することができる。
【００１８】
前記係止手段を係止爪とするのが好ましく、回動軸を開閉部材の軸孔に挿通した際に係止爪が軸孔端に係止して、開閉部材の抜脱を阻止した仮止め状態とすることができ、開閉部材を効率よく組み付けることができる。また、台板と支持部材をワンタッチで組立てることができるため、組立工程を簡素化し作業性を向上させることができる。
【００１９】
また、台板の前面に設けられる支持部材に開閉部材が回動軸により開閉自在に設けられ、取付枠体に設けられる電気的駆動源により前記開閉部材が開閉する可変入賞装置であって、前記回動軸は頭部と軸状部とを有すると共に該軸状部の先端に係止手段を備え、前記支持部材又は取付枠体のいずれかに回動軸が挿通され抜止めされる止め孔が形成され、前記開閉部材には回動軸を貫挿する軸孔が形成され、前記止め孔が形成された支持部材又は取付枠体の他方に前記回動軸の係止手段が係止する係合部を設け、前記止め孔が形成された支持部材又は取付枠体に回動軸を挿通すると共に前記開閉部材の軸孔及び台板の貫通孔に挿通し、前記係止手段を前記支持部材又は取付枠体の係合部に係着することで該支持部材と台板と取付枠体とを固着すると共に開閉部材を回動自在に軸支するようにしてもよい。ここでいう「電気的駆動源」とは電気的信号を受けて可動体を操作するアクチュエータの総称であり、例えばモータ及びソレノイド等が電気的駆動源に相当する。
【００２０】
前記回動軸は合成樹脂により成形してもよい。このとき、回動軸を透光性を有する合成樹脂により成形し、この回動軸の軸線上の後方に近接位置してＬＥＤ等の発光源を配設し、回動軸を導光手段として発光源の光が可変入賞装置の前面側から視認し得るようにして装飾効果を高めるようにしてもよい。このとき、回動軸の材質としては、高屈折率の透明材料であればよいが、例えばアクリル樹脂、ポリカーボネートが好ましい。さらに、軸状部の周面に周方向の光拡散を防止するために、塗布又は貼着等により反射皮膜を設けるのがよく、この反射皮膜により、開閉部材の回動時の負荷を軽減するようにしてもよい。また、支持部材に光透過性を有する材質で樹脂盛り状に形成したシールを貼着し、前記発光源を点灯または点滅等させて、回動軸の部分が発光しこの照射された光が樹脂盛りシールを透過することで、装飾効果を向上させたり、遊技演出を行ったりすることができる。なお、回動軸を台板又は支持部材に一体に設けた場合にも同様の効果を奏することができる。回動軸を導光手段とすることで、支持部材に発光源を設けるスペースが確保できなくても、発光源の点灯又は点滅等によるイルミネーション効果を高めて遊技機の装飾を実施することができ、好適な遊技演出を行うことができる。
【発明の効果】
【００２１】
本発明による可変入賞装置によると、開閉部材が回動自在に軸支される回動軸に係止手段の機能を付加することにより、この回動軸を介して開閉部材が支持される支持部材を台板に取付けると共に開閉部材を回動自在に軸支することができ、部品点数の削減が可能となり、開閉部材をスリム化して可変入賞装置の小型化及びコストの低減化を図ることができる。このため、可変表示装置等が大型化して可変入賞装置の設置領域が限られたとしても、狭い領域に十分設置することが可能となる。
【００２２】
また、開閉部材の回動軸自体を係止手段により係止させることで、開閉部材で遊技球を受ける衝撃の負荷を吸収して、回動軸の反り・曲がりを防止して耐久性を向上させることができる。さらに、開閉部材の安定的な回動を維持することができ、製品自体の耐久性を向上させることができるという効果も有する。
【発明を実施するための最良の形態】
【００２３】
以下、本発明の実施形態を図面を参照し、遊技機としてパチンコ遊技機を例にして説明する。図１は、本発明に係る可変入賞装置を設けたパチンコ遊技機の正面図、図２は本発明に係る可変入賞装置の正面図であり、図３は可変入賞装置の側断面図である。パチンコ遊技機１００は、遊技場の設置枠に取付けるための外枠１を備え、その外枠１の正面一側にヒンジ機構を介して内枠２が回動可能に設けられ、他側をロック機構によって開閉不能に施錠するようにしている。内枠２には、遊技盤３が装着されると共に、遊技盤３の正面を覆う透明板を備えた前面板４が回動可能に設けられている。また、前面板４の下方に位置する内枠２には遊技球を貯留し発射部に供給する供給皿５と余剰球を貯留する貯留皿６とが設けられている。そして、貯留皿６の右側に打球の弾発力を調節する操作ハンドル７が設けられている。
【００２４】
遊技盤３は、略方形状に形成され、所定の幅員を有する誘導部材により前面板４の透明板との間に略円形の遊技領域３ａが形成され、その略中央領域に可変表示装置８を設けている。そして、その下方に可変表示装置８の画像を変動させる始動入賞口として本発明に係る可変入賞装置９が設けられている。また、可変表示装置８の側方には検知スイッチ５２ａを備えた通過入賞口５２が設けられ、例えば通過入賞口５２の遊技球の通過を検知スイッチ５２ａが検知すると抽選が行われ、その結果が「当たり」等の所定条件で可変入賞装置９が駆動するように設定される。さらに、可変入賞装置９の下方に下部側の横軸心廻りに開閉する扉部材を開閉して多量の入賞を可能とする大入賞口１０が設けられ、大入賞口１０の側方には一般入賞口１１が設けられ、遊技領域３ａの最下端には入賞口に入賞しなかった遊技球がアウト球として流出するアウト口１２が設けられている。
【００２５】
可変入賞装置９は、図４及び図５に示すように、台板１３と支持部材１４との間に橋架した回動軸１５に左右一対の開閉部材１６が回動自在に軸支されている。台板１３は上方に球受口１７が設けられると共にその下方に開閉部材１６間に入賞した入賞球が通過する入賞開口１８が開設され、その入賞開口１８の左右両側方には、回動軸１５が後方から挿入され抜止めされる止め孔１９が穿設されている。そして、その下方には支持部材１４の位置決め手段として後述する位置決め突起２０が嵌着する一対の位置決め孔２１が開設されている。また、台板１３の後方に入賞開口１８に連通する通路部２２が形成されると共に電気的駆動源としてのソレノイド２４が装着される取付枠体２３を位置決めする位置決めボス４７及び取付用ボス４８が複数設けられる。
【００２６】
取付枠体２３は、図４に示すように電気的駆動源として直線的に変位するソレノイド２４が設けられる取付枠部２３ｄとソレノイド２４の駆動力を開閉部材１６に伝達する作動部材２５を軸支する軸孔２３ｅが設けられる。そして、取付枠部２３ｄに設けたソレノイド２４の直線的な駆動力を作動部材２５によって開閉部材１６を回動させるようにしている。また、前面外側に突出して取付片部２３ａが設けられ、その取付片部２３ａには取付孔２３ｂ及び位置決め突起２３ｃが形成されている。そして、位置決め突起２３ｃを位置決めボス４７に嵌入すると共に締結部材としてビス４９を取付孔２３ｂに挿通して取付用ボス４８に螺入することにより取付枠体２３と台板１３とが固着される。
【００２７】
開閉部材１６は左右略対称の翼形状をしており、下方に前後方向に貫通する軸孔２６が開設され、軸孔２６に回動軸１５が遊嵌されることにより各開閉部材１６はこの回動軸１５を中心として回動自在に装着される。また、開閉部材１６の前面下方内側に開閉部材１６の開角度を決定する規制片２７が設けられている。そして、開閉部材１６の裏面側に軸孔２６に対して内方でありかつ下方に偏心位置して作動部材２５が係合する操作部として軸状の操作ピン２８が一体に突設されている。操作ピン２８は台板１３に開設した入賞開口１８と連通するガイド孔２９を介して作動部材２５に係合し、操作ピン２８の軌道は回動軸１５を中心として内方に移動しながら上方に回動する円弧状となる。
【００２８】
回動軸１５は、鉄，真鍮等の金属により成形され、抜け止め用の頭部１５ａと開閉部材１６が軸支される軸状部１５ｂとを有し、軸状部１５ｂの先端に係止手段を備えている。実施例において頭部１５ａには回動軸１５を螺締めする治具が嵌る溝が形成され、係止手段として雄ねじが刻設された係止部１５ｃが形成されている。また、軸状部１５ｂの少なくとも開閉部材１６の軸孔２６と接触し得る部位に耐摩耗・摺動性に優れたフッ素樹脂，ポリアセタール等の耐摩耗材をコーティングし、軸状部１５ｂの耐摩耗性を向上させ、開閉部材１６の回動時の負荷を軽減するようにしている。なお、回動軸１５は合成樹脂により成形してもよい。
【００２９】
支持部材１４は、図５及び図６に示すように合成樹脂により開閉部材１６の下部を囲うように前板部１４ａと皿状の底部１４ｂとを有して形成され、前板部１４ａの前面に装飾効果を高める装飾部材としての装飾シールＳを貼着する装着枠１４ｃが形成されている。装飾シールＳは、金属，合成樹脂，紙等を素材として、表面に必要に応じて印刷が施されている。また、前板部１４ａの後方に開閉部材１６を軸支する回動軸１５が係着される係合部として、中央にねじ孔を形成した短筒状の取付ボス３０が突設され、ねじ孔は回動軸１５の係止部１５ｃによる固定作用、即ち回動軸１５が支持部材１４に対して確実に抜け止め効果が有効に発揮される大きさに設定される。即ち、本実施例では、軸孔は回動軸１５の係合部１５ｃにおいて雄ねじが刻設された部分の外径寸法より小さくさるように設定されている。そして、開閉部材１６の規制片２７が係止して開閉部材１６の開閉動を規制する規制手段として規制突起３１ａ及び規制リブ３１ｂが設けられ、底部１４ｂには開閉部材１６間に入賞した入賞球を円滑に後方へ案内する誘導リブ３２が形成されている。また、支持部材１４の後端には位置決め突起２０が設けられ、台板１３の位置決め孔２１に嵌着することで台板１３に対して確実な位置決めが可能となっている。
【００３０】
作動部材２５は、図３乃至図５に示すように開閉部材１６に対応する一対の側面視略Ｌ字状の側板を水平軸部３３で連結して形成され、側板の後方上部の内面に従動ピン３４が突設されると共にその下方外面に回動ピン５１が突設される。側板の先端部には操作ピン２８に係合する係合部３５が側面視コ字状に形成され、この係合部３５の下側部位が、操作ピン２８を押し上げる駆動片３５ａを構成している。
【００３１】
ソレノイド２４は、図３及び図４に示すように取付枠体２３に水平に配置してビス５０により固着され、スプリング３７を装着したプランジャ３８が前後方向に水平に進退動するようになっており、プランジャ３８の前端部にフランジにより連係部３９が形成されている。そして、この連係部３９に作動部材２５の従動ピン３４が収容保持されてソレノイド２４と作動部材２５が連係され、ソレノイド２４の駆動力が作動部材２５を介して開閉部材１６に伝達される。
【００３２】
上記構成の可変入賞装置９の組立は、先ず支持部材１４の取付ボス３０と開閉部材１６の軸孔２６とを一直線状になるように配置する。このとき、開閉部材１６の軸孔２６前端部に位置して形成される凹部が開閉部材１６の位置決めとなっている。そして、回動軸１５を台板１３の裏面側から止め孔１９及び開閉部材１６の軸孔２６に挿通すると共に回動軸１５の係止部１５ｃを支持部材１４の取付ボス３０にドライバー等の治具により螺締めすることで、図６に示すように支持部材１４を台板１３に取着すると共に開閉部材１６を回動自在に軸支することができる。次に、ソレノイド２４の連係部３９に作動部材２５の従動ピン３４が収容されるように装着した取付枠体２３を、作動部材２５の係合部３５が操作ピン２８と連係するように台板１３にビス着することでソレノイド２４の駆動力を開閉部材１６に伝達するように組み立てられる。なお、取付ボス３０に回動軸１５の係止部１５ｃに刻設した雄ねじに合致する雌ねじを刻設したナット等の係止具をインサートすることにより回動軸１５の締付を確実なものとすることができる。
【００３３】
このように、開閉部材１６の回動軸１５に台板１３と支持部材１４とを固着する係止手段を設けることにより、回動軸１５に開閉部材１６を支持すると共に支持部材１４を台板１３に取着する取付機能を兼ね備える構成としたので、支持部材１４の構成が簡素化できて可変入賞装置の小型化及びコストの低減化を図ることができる。言い換えれば、開閉部材１６を支持する支持部材１４を台板１３に取着する取付手段を開閉部材１６の回動軸１５とすることができる。なお、実施例において回動軸１５にコーティングを施し耐摩耗性を向上させるようにしたが、図７に示すように回動軸１５の少なくとも開閉部材１６の軸孔２６と接触し得る部位に耐摩耗性合成樹脂による円筒状の軸カバー４０を装着することで、軸孔２６と回動軸１５との摩耗力等の負荷を軽減させ、開閉部材１６の円滑な動作が可能となる。このとき、軸カバー４０は回動軸１５に対して回転不能又は回転可能のいずれの状態に装着してもよい。また、回動軸１５に軸カバー４０を装着することにより、軸状部１５ｂが角型等の非円形状であったり、ビス・ボルト等のねじ山が刻設された部位であったりしても、軸孔２６に位置する軸状部１５ｂを軸カバー４０で被覆して、回動軸１５として使用することができる。特に、ＪＩＳ規格のビス・ボルトを使用することができるため、特殊な回動軸１５を製作する必要がなく、コストの低減化に寄与することができる。また、軸カバー４０を回動軸１５に対して回転自在に遊挿し、開閉部材１６の回動によって回動軸１５を回転させようとする作用力を軸カバー４０を回転させることで吸収することができ、開閉部材１６の回動時に回動軸１５の締付けの緩みを生じさせることがない。
【００３４】
図８及び図９は他の実施例を示し、前記実施例と異なる点は回動軸１５の挿入方向であるため、同じ構成要素には同一符号を付して説明する。この実施例において、支持部材１４に回動軸１５が挿通される止め孔１９が形成され、台板１３に回動軸１５の係止部１５ｃの雄ねじが係止する係合部４１を設けている。そして、この実施例の可変入賞装置９の組立は、先ず一方の回動軸１５を支持部材１４の前面側から止め孔１９に挿通すると共に開閉部材１６の軸孔２６に挿通し、ドライバー等の治具により回動軸１５を台板１３の係合部４１に螺締めし、他方の開閉部材１６の軸孔２６を支持部材１４の止め孔１９と一直線状に配置して、回動軸１５を支持部材１４の前面側から止め孔１９に挿通すると共に開閉部材１６の軸孔２６に挿通して台板１３の係合部４１に螺締めすることで支持部材１４を台板１３に取着すると共に開閉部材１６を回動自在に軸支することができる。このとき、支持部材１４の前面と頭部１５ａの端面とが面一となっている。そして、支持部材１４の前面の装着枠１４ｃに装飾シールＳを貼着することにより、回動軸１５の頭部１５ａを隠蔽すると共に装飾シールＳが頭部１５ａの端面に貼り付き、回動軸１５の回止め手段とすることができる。このため、開閉部材１６が回動を繰り返すことによって回動軸１５を回動させようと作用力を無効にして、回動軸１５が緩んで支持部材１４にがたつきを生じさせることはなく、強固な組み付け状態を保持する。
【００３５】
なお、上記実施例に限定されることなく、係止手段として雄ねじにかえて回動軸１５の先端外周に係止溝４３を周設し、台板１３又は支持部材１４に設けられる係合部として回動軸１５の係止溝に弾発して係止する係止爪を設けるようにしてもよい。
【００３６】
また、係止手段の係合部を台板１３又は支持部材１４に設けるようにしたが、別途係止具により回動軸１５を係着するようにしてもよい。例えば、図１０に示すように台板１３に回動軸１５が挿通される貫通孔４５を開設し、係止手段として回動軸１５の先端外周に係止溝４３を周設して、係止具４４として、金属等の薄い円板の中心から放射状の切り溝により弾性舌片を形成し、この弾性舌片を同方向に約４５°起立させると共に中心に回動軸１５の軸径より小径の軸孔を形成し、回動軸１５を弾性舌片の起立方向に挿通することで、弾性舌片が撓むことにより軸孔が拡開し、弾性舌片が係止溝４３に弾発係止して回動軸１５の抜脱が阻止され、回動軸１５を軸孔の略中心で保持する。なお、この係止具４４は回動軸１５の係止手段を雄ねじとした場合でも使用可能である。また、台板１３又は支持部材１４に設けられる係合部として、貫通孔４５と連通して回動軸１５の挿通方向に開放した袋凹部を設け、回動軸１５は軸端にスリットにより拡開可能の拡径部を設け、この回動軸１５を貫通孔４５を介して袋凹部に挿通し、袋凹部に位置する拡径部に塊部を備えた係止具を挿入することで拡径部が拡開し、回動軸１５が抜脱不能となり台板１３と支持部材１４を固着することができる。また、係止具をＥリングとしての係止溝４３に係止することによって、回動軸１５を固定するようにしてもよい。さらに、係止具をナットとして、回動軸１５の雄ねじを係着させるようにしてもよいのはいうまでもない。
【００３７】
図１１及び図１２は回動軸の他の実施例を示し、この実施例における回動軸１５は合成樹脂で成形され、円盤状の頭部１５ａに軸状部１５ｂを介して係止手段としてすり割りにより一対の弾性係止片１５ｄが一体に成形され、先端部に側方を軸状部１５ｂと同幅に形成され外側面に傾斜面を備えた係止爪１５ｅが対称に形成されている。図１２に示すように、台板１３には係止爪１５ｅが係合する透孔を備えた係合部４１が形成され、係合部４１は係止爪１５ｅの両傾斜面を挟み込み、弾性係止片１５ｄを互いに近づける方向に押圧したとき、傾斜面の下端が、係合部４１の透孔内に挿入可能となるような寸法となっている。また、係合部４１には係止爪１５ｅを囲うような凹部が形成され、係止爪１５ｅが凹部に収容されることで回動軸１５が無用に回転しないようにしている。この実施例において、支持部材１４に回動軸１５を挿通する止め孔１９が開設されており、止め孔１９は回動軸１５の頭部１５ａの外径と略同径寸法の座刳り凹部を形成している。頭部１５ａが座刳り凹部に収まった嵌合状態では、支持部材１４の前面と頭部１５ａの端面とが面一となり、装飾シールＳの貼着後の見栄えがよくなる。
【００３８】
開閉部材１６及び支持部材１４を組付けるに、支持部材１４の前面側から回動軸１５を止め孔１９に挿通すると共に開閉部材１６を回動軸１５に軸支する。このとき、回動軸１５が軸孔２６を通過した際に係止爪１５ｅが軸孔２６端に弾発係止して開閉部材１６が抜脱しないように仮止め効果を奏するため、予め両開閉部材１６を支持部材１４に組み付けておくことができ、組立作業が容易となり作業性の向上を図ることができる。そして、回動軸１５の係止爪１５ｅを係合部４１の透孔に差込み、かつ、押込むと弾性係止片１５ｄが弾性変形して軸状部が縮径し、係合部４１の後端で弾性係止片１５ｄが初期寸法に弾性復帰することにより係止爪１５ｅが係合する。これにより、開閉部材１６を開閉自在に軸支すると共に支持部材１４を台板１３に対してワンタッチで簡単に、しかも確実に取り付けることができる。このため、組立が容易となり製作コストを低減することができる。なお、支持部材１４に係止爪１５ｅが係止する係合部４１を設けると共に台板１３に回動軸１５を挿通する止め孔１９を開設するようにしてもよいのはいうまでもない。また、実施例において弾性係止片１５ｄを一対としたが、これに限定されることなく３以上の複数としてもよい。
【００３９】
なお、この実施例において回動軸１５は係止爪１５ｅによる係合であるため、例え回動軸１５が開閉部材１６の開閉動作により回転したとしても係止爪１５ｅが外れ係合が解除されることはないため、必ずしも回動軸１５の回転を防止しなければならないことはない。しかし、がたつき防止のために、頭部１５ａを例えば多角形・楕円・足袋の鞐形等の真円を除く形状とすると共に、支持部材１４又は台板１３に形成される止め孔１９に頭部１５ａの形状と合致する座刳り凹部を形成し、回動軸１５が回転しないようにすることも可能である。この実施例のように係止爪１５ｅ等による係止構成を採用することにより、ビス着等のための治具が不要となり、ビスの閉め加減による品質のばらつきをなくすことができる。
【００４０】
図１３及び図１４は回動軸の他の実施例を示し、この実施例の回動軸１５は支持部材１４に一体に形成されている。具体的には、合成樹脂により形成される支持部材１４に弾性を付与した一対の回動軸１５が所定の間隔をおいて支持部材１４に突設している。回動軸１５は、断面Ｄ字状の軸状部１５ｂの先端外方に係止手段として傾斜面を備えた係止爪１５ｅが形成されている。一方、台板１３には係止爪１５ｅが係止する係合部として方形状の係合孔４２が形成されている。係合孔４２は係止爪１５ｅの外形寸法より僅かに大きく形成されている。開閉部材１６の組み付けは、先ず回動軸１５に開閉部材１６の軸孔２６を挿通して係止爪１５ｅの弾発係止により開閉部材１６を回動軸１５に仮止め状態とし、次に、係止爪１５ｅを回動軸１５の撓みを利用して台板１３の係合孔４２に係着することで開閉部材１６を軸支した支持部材１４を台板１３に簡単に組み付けることができる。この実施例において係止手段は、開閉部材１６の回動軸１５からの抜脱を防止する仮止手段ともなり、組立て工程を簡素化することができる。４６は係止爪１５ｅを形成する際にできる成型孔であり、この成型孔４６は支持部材１４の前面に装飾シールＳを貼着することで隠蔽することができる。なお、実施例において回動軸１５の外側に係止爪１５ｅを設けるようにしたが、回動軸１５をすり割りして弾性を付与した先き割れピンタイプとして上下又は左右両側に係止爪１５ｅを形成するようにしてもよく、支持部材１４を台板１３に強固に取付けることができる。また、台板１３に係止爪等の係止手段を備えた回動軸１５を一体に突設し、支持部材１４に係止手段が係止する係合孔等の係合部を形成することも可能である。このとき、回動軸１５の先端が支持部材１４の前面に突出しないように係合部を設けるのがよい。
【００４１】
また、図１５に示すように開閉部材１６の軸孔２６を側方が開放したＣ字状に形成してもよく、例えば図１３に示した係止爪１５ｅを開口部２６ａに位置して挿通することにより、軸孔２６を回動軸１５の径と略同寸法とすることができ、回動軸１５の挿入時に係止爪１５ｅを破損させるようなこともない。さらに、係止爪１５ｅを大きくすることができるため、より強固に組み付けることができる。また、開口部２６ａに弾性を付与することで、回動軸１５を軸孔２６の側方開口部２６ａから押し付けて嵌入することも可能となり、開閉部材１６の装着作業の効率化を図ることができる。なお、軸孔２６の開口部２６ａは開閉部材１６の球受け面と反対側に位置して形成するのが好ましく、開閉部材１６の開放時には開口部が回動軸１５の下方に位置して安定した状態で軸支される。
【００４２】
また、図１６乃至図１８に示す可変入賞装置９Ａは、台板１３に設けた係合部４１を取付枠体２３の位置決め突起２３ｃを嵌入する位置決めボス４７とを兼用とした実施例を示し、係合部４１は取付用ボス４８と同じ長さを有し略同形状に形成され、中央に回動軸１５の係止部１５ｃの雄ねじが螺入されると共に位置決め突起２３ｃが嵌入する係止孔が穿設されている。このとき、回動軸１５の軸径と位置決め突起２３ｃの径は略同径としている。このように、回動軸１５に支持部材１４と台板１３を固着する係止手段を備えると共に係合部４１と取付用ボス４８を共用化する構成とすることにより、開閉部材１６をスリム化すると共に可変入賞装置９の更なる小型化が可能となる。また、前記実施例では取付枠体２３を一体ものとしたが、この実施例では図１８に示すように取付枠体２３を第一取付枠部材２３１と第二取付枠部材２３２とに左右に分割形成し、ソレノイド２４を第一取付枠部材２３１と第二取付枠部材２３２との間に位置させて、左右からビス５０により挟着固定することにより取付枠体２３を一体化するようにしている。また、取付枠体２３を左右に分割形成することにより、ソレノイド２４の取着時に各第一取付枠部材２３１，第二取付枠部材２３２の軸孔２３ｅに回動ピン５１を貫挿して作動部材２５を挟み込むだけで簡単に軸支することができ、しかも作動部材２５を装着する際に必要とした遊びを設けることもないため、取付枠体２３の幅員を最小限に設定することができ、可変入賞装置の小型化に寄与する。したがって、可変表示装置８が大型化して可変入賞装置の設置領域が限られたとしても、狭い設置領域に十分設置することができる。なお、実施例において台板１３に設けた係合部４１を取付枠体２３の位置決め突起２３ｃを嵌入する位置決めボス４７とを兼用するようにしたが、係合部４１を取付枠体２３の取付用ボス４８と兼用してもよく、ビス４９を取付片部２３ａの取付孔２３ｂに挿通して係合部４１の後端に螺入することで取付枠体２３を台板１３に固定することができる。
【００４３】
また、回動軸１５により支持部材１４と台板１３を組み付けるようにしたが、回動軸１５により取付枠体２３を共締めするようにしてもよい。例えば、図１９に示すように回動軸１５を後方から装着する場合には、取付枠体２３（取付片部２３ａ）に回動軸１５が挿通され抜止めされる止め孔１９を形成し、台板１３に回動軸１５が貫通する貫通孔４５を備え所定の長さを有するボス４８を設け、支持部材１４に回動軸１５が係着される係合部として、中央にねじ孔を形成した短筒状の取付ボス３０が突設される。なお、回動軸１５を支持部材１４の前方から装着する場合には、支持部材１４に止め孔１９を形成し、取付枠体２３（取付片部２３ａ）に回動軸１５の係止手段が係止する係合部を設けるようにすればよい。このとき、台板１３には回動軸１５が貫通する透孔が開設される。このように、回動軸１５によって支持部材１４と台板１３と取付枠体２３とを一気に組み付けるように構成することにより、可変入賞装置９の組立作業がさらに簡素化される。
【００４４】
また、回動軸１５を透光性を有する合成樹脂により成形し、この回動軸１５の軸線上の後方に近接位置してＬＥＤ等の発光源を配設し、回動軸１５を導光手段として発光源の光が可変入賞装置９の前面側から視認し得るようにして装飾効果を高めるようにしてもよい。このとき、回動軸の材質としては、高屈折率の透明材料であればよいが、例えばアクリル樹脂、ポリカーボネートが好ましい。さらに、軸状部１５ｂの周面に周方向の光拡散を防止するために、塗布又は貼着等により反射皮膜を設けるのがよく、この反射皮膜により、開閉部材１６の回動時の負荷を軽減するようにしてもよい。また、支持部材１４に光透過性を有する材質で樹脂盛り状に形成したシールＳを貼着し、前記発光源を点灯または点滅等させて、その光が回動軸１５の後端面から軸状部１５ｂ内に入り回動軸１５の部分が発光し、この照射された光が樹脂盛りシールＳを透過することで、装飾効果を向上させたり、遊技演出を行ったりすることができる。なお、光透過性を有する合成樹脂材料により台板１３又は支持部材１４と回動軸１５とを一体に設けた場合にも同様の効果を奏することができる。回動軸１５を導光手段とすることで、支持部材１４に発光源を設けるスペースが確保できなくても、発光源の点灯又は点滅等によるイルミネーション効果を高めて遊技機の装飾を実施することができ、好適な遊技演出を行うことができる。また、小型化した可変入賞装置９にも拘わらず発光源を設けることができ、装飾効果を高めることができる。
【００４５】
なお、可変入賞装置９の電気的駆動源をプランジャ３８が進退動するソレノイド２４としたが、電気的駆動源はモータ，電磁石，ロータリーソレノイド等であってもよい。また、実施例において可変入賞装置９を、電気的駆動源（ソレノイド２４）の駆動力により開閉部材１６を開閉させる所謂「電動チューリップ」としたが、開閉部材１６を遊技球によって機械的に開閉させる所謂「チューリップ」にも適用できるのはいうまでもない。
【００４６】
本発明は、実施例において遊技機としてパチンコ遊技機を例にして説明したが、遊技球を遊技媒体とする雀球遊技機，アレンジボール式遊技機等の弾球遊技機にも適応可能である。
【図面の簡単な説明】
【００４７】
【図１】パチンコ遊技機の正面図である。
【図２】可変入賞装置の正面図である。
【図３】可変入賞装置の側断面図である。
【図４】可変入賞装置の要部分解斜視図である。
【図５】可変入賞装置の前部の分解斜視図である。
【図６】回動軸部の要部側断面図である。
【図７】他の実施例の要部側断面図である。
【図８】さらに他の実施例の可変入賞装置の要部分解斜視図である。
【図９】図８の回動軸部の要部側断面図である。
【図１０】回動軸部の他の実施例の要部側断面図である。
【図１１】他の実施例の回動軸部の要部側断面図である。
【図１２】図１１の要部背面図である。
【図１３】さらに他の実施例の可変入賞装置の要部分解斜視図である。
【図１４】図１３の要部平断面図である。
【図１５】開閉部材の斜視図である。
【図１６】他の実施例の可変入賞装置の正面図である。
【図１７】図１６の要部側断面図である。
【図１８】図１６の要部平断面図である。
【図１９】他の実施例の要部側断面図である。
【符号の説明】
【００４８】
９，９Ａ  可変入賞装置
１３  台板
１４  支持部材
１５  回動軸
１５ａ  頭部
１５ｂ  軸状部
１５ｃ  係止部（係止手段）
１５ｄ  弾性係止片
１５ｅ  係止爪（係止手段）
１６  開閉部材
１９  止め孔
２６  軸孔
３０  取付ボス（係合部）
４０  軸カバー
４１  係合部
４２  係止孔（係合部）
４３  係止溝（係止手段）
４４  係止具
４５  貫通孔
１００  パチンコ遊技機（遊技機）
Ｓ  装飾シール（装飾部材）
【図１】
2008295863.tif 000003
【図２】
2008295863.tif 000004
【図３】
2008295863.tif 000005
【図４】
2008295863.tif 000006
【図５】
2008295863.tif 000007
【図６】
2008295863.tif 000008
【図７】
2008295863.tif 000009
【図８】
2008295863.tif 000010
【図９】
2008295863.tif 000011
【図１０】
2008295863.tif 000012
【図１１】
2008295863.tif 000013
【図１２】
2008295863.tif 000014
【図１３】
2008295863.tif 000015
【図１４】
2008295863.tif 000016
【図１５】
2008295863.tif 000017
【図１６】
2008295863.tif 000018
【図１７】
2008295863.tif 000019
【図１８】
2008295863.tif 000020
【図１９】
2008295863.tif 000021